(57)【特許請求の範囲】
【請求項１】
媒体挿入排出口から挿入された第１および第２の媒体を、処理後に前記媒体挿入排出口から排出する媒体処理装置において、
前記媒体挿入排出口から印字面を垂直にして挿入された前記第１および第２の媒体を取込み、前記第１および第２の媒体を挿入方向の直交方向に移送する移送部と、
前記移送部から引渡された前記第１の媒体を前記移送部の移送方向の直交方向に搬送する第１の搬送路と、前記第１の媒体への印字を行う第１の印字部とが設けられた第１の処理部と、
前記第１の処理部に並設され、前記移送部から引渡された前記第２の媒体を前記移送部の移送方向の直交方向に搬送する第２の搬送路と、前記第２の媒体への印字を行う第２の印字部とが設けられた第２の処理部と、を設けたことを特徴とする媒体処理装置。
【請求項２】
請求項１に記載の媒体処理装置において、
前記第１の印字部による前記第１の媒体への印字処理中に、前記媒体挿入排出口からの前記第２の媒体の挿入を受入れることを特徴とする媒体処理装置。
【請求項３】
請求項１に記載の媒体処理装置において、
前記第２の印字部による前記第２の媒体への印字処理中に、前記媒体挿入排出口からの前記第１の媒体の挿入を受入れることを特徴とする媒体処理装置。
【請求項４】
請求項１ないし請求項３のいずれか一項に記載の媒体処理装置において、
前記第１の印字部と前記第２の印字部における印字処理を、前記第１の搬送路と前記第２の搬送路とをそれらの搬送方向の直交方向に移動する一つの印字ヘッドで行うことを特徴とする媒体処理装置。
【発明の詳細な説明】
【技術分野】
【０００１】
本発明は、金融機関に設置され、オペレータがセットした通帳および伝票からなる媒体を取込み、その媒体に対する印字処理等を行う媒体処理装置に関する。
【背景技術】
【０００２】
従来の媒体処理装置として通帳伝票プリンタは、正面側に通帳挿入口と伝票挿入口とを上下２段に設けたインサータユニットを配置し、その通帳用および伝票用の搬送路を合流させて一つの印字ユニットへ導く搬送経路を形成し、通帳挿入口から挿入された通帳は、通帳用の搬送路に設けた幅寄せローラによって基準面に突当てて位置決めした後に通帳の磁気ストライプに記録された通帳情報を読取って印字ユニットへ搬送し、伝票挿入口から挿入された伝票は、伝票用の搬送路に設けた幅寄せローラによって基準面に突当てて位置決めして印字ユニットへ搬送し、通帳または伝票に対する印字処理の後に搬送経路を合流部で切替えて、媒体が挿入された元の通帳挿入口または伝票挿入口から排出している（例えば、特許文献１参照。）。
【先行技術文献】
【特許文献】
【０００３】
【特許文献１】特開２０００−２８１２４５号公報（段落０００２、０００３、００１１−００２４、第３図）
【発明の概要】
【発明が解決しようとする課題】
【０００４】
しかしながら、上述した従来の技術においては、通帳挿入口および伝票挿入口を上下２段に配置し、通帳または伝票を水平にして挿入しているため、通帳伝票プリンタを机上等に設置することが必要になり、その水平方向の設置幅が大きいために、金融機関の応対窓口等における机上の作業スペースが狭くなるという問題がある。
【０００５】
このため、通帳伝票プリンタを９０度回転させて、通帳挿入口および伝票挿入口を垂直方向に配置するようにしても、２段に重ねられたインサータ部によって水平方向の設置幅が大きくなり、応対窓口等の狭い空間に設置することができない場合があるという問題がある。
【０００６】
また、通帳および伝票をそれぞれ挿入するための専用の挿入口を設け、挿入された媒体を一つの印字ユニットで処理しているため、どちらかの媒体への印字処理等の処理後に当該媒体の排出が終了しないと他の媒体の処理を行うことができず、窓口取引における媒体の処理に時間を要するという問題がある。
【０００７】
本発明は、上記の問題点を解決するためになされたもので、媒体処理装置を設置する空間のスペースユーティリティを向上させると共に、媒体の処理に要する時間を短縮する手段を提供することを目的とする。
【課題を解決するための手段】
【０００８】
本発明は、上記課題を解決するために、媒体挿入排出口から挿入された第１および第２の媒体を、処理後に前記媒体挿入排出口から排出する媒体処理装置において、前記媒体挿入排出口から印字面を垂直にして挿入された前記第１および第２の媒体を取込み、前記第１および第２の媒体を挿入方向の直交方向に移送する移送部と、前記移送部から引渡された前記第１の媒体を前記移送部の移送方向の直交方向に搬送する第１の搬送路と、前記第１の媒体への印字を行う第１の印字部とが設けられた第１の処理部と、前記第１の処理部に並設され、前記移送部から引渡された前記第２の媒体を前記移送部の移送方向の直交方向に搬送する第２の搬送路と、前記第２の媒体への印字を行う第２の印字部とが設けられた第２の処理部と、を設けたことを特徴とする。
【発明の効果】
【０００９】
これにより、本発明は、媒体処理装置の水平方向の設置幅を小さくして、媒体処理装置を設置する空間のスペースユーティリティを向上させることができると共に、通帳および伝票の同時処理を可能にして、取引における処理時間を短縮することができるという効果が得られる。
【図面の簡単な説明】
【００１０】
【図１】実施例１の通帳伝票プリンタの構成を示すブロック図
【図２】実施例１の通帳伝票プリンタの設置状態を示す説明図
【図３】実施例１の通帳伝票プリンタの側面側から見た概略構成を示す説明図
【図４】図３のＡ−Ａ断面線に沿った正面側から見た断面を示す説明図
【図５】図３のＢ−Ｂ断面線に沿った上面側から見た断面を示す説明図
【図６】実施例１の通帳伝票プリンタの他の設置状態を示す説明図
【図７】実施例２の通帳伝票プリンタの側面側から見た概略構成を示す説明図
【発明を実施するための形態】
【００１１】
以下に、図面を参照して本発明による媒体処理装置の実施例について説明する。
【実施例１】
【００１２】
図１において、１は媒体処理装置としての通帳伝票プリンタであり、第１の媒体としての通帳および第２の媒体としての伝票からなる２種類の媒体に対する印字処理、通帳の磁気ストライプに磁気データとして記録された通帳情報の読取りや書込みの処理を行う。ここで、通帳伝票プリンタ１に設けられた図示しない制御部は、上位装置とのデータ送受信、媒体の搬送、印字処理および磁気データの読取りや書込み処理等を制御する。
【００１３】
図１において、１は媒体処理装置としての通帳伝票プリンタであり、通帳および伝票からなる２種類の媒体に対する印字処理、通帳の磁気ストライプに対する読取りや書込みの処理を行う。
２は媒体挿入排出口であり、通帳伝票プリンタ１の装置本体の正面（オペレータ側の面のことをいう。図３において左側）に設けられた、通帳および伝票の挿入および排出を兼用で行う一つの開口であって、取引で取扱われる媒体（取扱媒体という。）の中で最大の媒体が挿入可能な大きさを有している。
【００１４】
本実施例の通帳伝票プリンタ１は、通帳に取引内容等の記帳を行う第１の印字部としての通帳印字部３、通帳のページ替えが必要となった場合にページ捲りを行うページ捲り部４等を備えた第１の処理部としての通帳処理部５と、伝票に処理済等の所定の事項を印字する第２の印字部としての伝票印字部６等を備えた第２の処理部としての伝票処理部７とが同一面上に並設され、媒体挿入排出口２から印字面を垂直にして挿入された媒体を、インサータ部８に設けられた移送部９で取込み、その媒体の種類に応じて移送部９により媒体を通帳処理部５または伝票処理部７へ移送して印字処理等の処理を行い、処理後の媒体を移送部９へ引渡して媒体挿入排出口２から排出するように構成され、図２に示すように、通帳伝票プリンタ１への指示入力等を行う上位装置としての入力装置１０が載置された机の下等に媒体挿入排出口２を正面側に向けて縦長に設置される。
【００１５】
本実施例の伝票処理部７は、通帳処理部５の下方に並べて配置されている。
通帳印字部３は、通帳への印字を行うための第１の印字ヘッドとしての通帳印字ヘッド３ａとこれに対向して設けられたプラテン３ｂとインクリボンカセット３ｃとを備えており（図５参照）、後述する第１の搬送路としての通帳搬送路２３により搬送された通帳に印字を行う機能を有している。
【００１６】
また、伝票印字部６は、伝票への印字を行うための第２の印字ヘッドとしての伝票印字ヘッド６ａとこれに対向して設けられたプラテン６ｂと図示しないインクリボンカセットとを備えており（図３参照）、後述する第２の搬送路としての伝票搬送路３３により搬送された伝票に印字を行う機能を有している。
【００１７】
移送部９は、媒体挿入排出口２から挿入された通帳および伝票からなる２種類の媒体をそれぞれ取込んで、媒体の挿入方向の直交方向（挿入直交方向または移送方向という。）に媒体を移送する機能を有しており、図４に示すように、無端の歯付ベルトとこれを駆動する歯付プーリからなる移送機構１１に取付けられて、移送部９の媒体搬送路１３（後述）が媒体挿入排出口２と対向する位置（図３に実線で示す移送部９の位置、媒体取込位置という。）と、媒体搬送路１３が伝票搬送路３３（後述）と対向する位置（図３に破線で示す移送部９の位置、伝票引渡位置という。）との間を挿入直交方向（移送方向）、つまり図３に矢印で示すＵ方向またはＬ方向に往復移動する。
【００１８】
図３において、１２は媒体搬送ローラであり、媒体挿入排出口２から挿入された媒体を一対のローラで挟持して、挿入方向または排出方向、つまり図３に矢印で示すＲ方向またはＦ方向に搬送する搬送ローラであって、移送部９内に配置されており、図４に示すように、媒体の表裏の面を案内する一対の搬送ガイド１３ａ、１３ｂ間の媒体搬送路１３から退避可能に設けられている。
また、本実施例においては、媒体挿入排出口２から挿入された通帳および伝票は、媒体搬送ローラ１２に挟持されて搬送され、移送部９に取込まれる。
【００１９】
１５は幅寄せローラであり、媒体（通帳および伝票）を挟持して搬送する一対のローラであって、媒体の挿入直交方向の一端を、媒体搬送路１３の媒体基準面１６に強制的に突当てて媒体の位置決めを行う機能を有しており、媒体搬送路１３から退避可能に設けられている。なお、幅寄せローラ１５は区別のためにハッチングを付して示してある（図３参照）。
【００２０】
本実施例の媒体基準面１６は、移送部９が媒体取込位置に位置しているときに、媒体挿入排出口２の開口の挿入直交方向の一の端面と面一になる位置に設けられている。
１７は挿入センサであり、媒体挿入排出口２の直近に配置された光学式のセンサであって、媒体の挿入および排出を検出すると共に、挿入された媒体の挿入方向の長さを検出する機能を有している。
【００２１】
１８は第１のセットセンサとしての媒体セットセンサであり、媒体取込位置に位置する移送部９の媒体基準面１６の上側で媒体搬送路１３の背面側（図３において右側）に配置された光学式のセンサであって、媒体の一端が媒体基準面１６に突当てられて位置決めされたことを検出すると共に、媒体挿入排出口２から挿入された媒体の挿入方向（Ｒ方向）の先端を検出して媒体が移送部９内に取込まれたことを検出する。
【００２２】
１９は第２のセットセンサとしての伝票セットセンサであり、伝票引渡位置に位置する移送部９の媒体基準面１６の上側で媒体搬送路１３の正面側（図３において左側）に配置された光学式のセンサであって、移送部９に取込まれた伝票が伝票引渡位置に移送されたことを検出すると共に、後述する伝票搬送路３３から引渡された伝票の排出方向（Ｆ方向）の先端を検出して伝票が移送部９内に取込まれたことを検出する。
【００２３】
２１は第１の搬送ローラとしての通帳搬送ローラであり、媒体基準面１６で位置決めされ、媒体取込位置に位置する移送部９の媒体搬送路１３から引渡された通帳を挟持してＦ方向またはＲ方向に搬送する搬送ローラであって、図３、図５に示すように、通帳の一端を通帳基準面２２に沿わせながら一対の搬送ガイド２３ａ、２３ｂ間の通帳搬送路２３に沿って通帳を搬送する。
なお、各通帳搬送ローラ２１は、図５に示すように、通帳搬送路２３内で一対の搬送ローラが突合された状態で設けられている。また、通帳基準面２２は、媒体取込位置に位置する移送部９の媒体基準面１６と面一になる位置に設けられている。
【００２４】
２５は磁気ヘッドであり、通帳に設けられた磁気ストライプに応じた位置に取付られており、磁気ストライプに記録された通帳情報の読取り、書込みを行う。
２６はページセンサであり、通帳の各ページに設けられたページマークの読取りや印字文字の判別を行う。
【００２５】
３１は第２の搬送ローラとしての伝票搬送ローラであり、媒体基準面１６で位置決めされ、伝票引渡位置に位置する移送部９の媒体搬送路１３から引渡された伝票を挟持して、Ｆ方向またはＲ方向に搬送する搬送ローラであって、図３、図４に示すように、伝票の一端を伝票基準面３２に沿わせながら一対の搬送ガイド３３ａ、３３ｂ間の伝票搬送路３３に沿って伝票を搬送する。
なお、各伝票搬送ローラ３１は、図４に示すように、伝票搬送路３３内で一対の搬送ローラが突合された状態で設けられている。また、伝票基準面３２は、伝票引渡位置に位置する移送部９の媒体基準面１６と面一になる位置に設けられている。
【００２６】
上記した移送部９は、媒体搬送ローラ１２、幅寄せローラ１５、媒体基準面１６等で構成されており、インサータ部８は、移送部９および、移送機構１１、挿入センサ１７、媒体セットセンサ１８、伝票セットセンサ１９等で構成されている。
【００２７】
また、通帳処理部５は、通帳搬送ローラ２１を有する通帳搬送路２３、通帳基準面２２、磁気ヘッド２５、ページセンサ２６、通帳印字ヘッド３ａ等を有する通帳印字部３、ページ捲り部４等で構成され、伝票処理部７は、伝票搬送ローラ３１を有する伝票搬送路３３、伝票基準面３２、伝票印字ヘッド６ａ等を有する伝票印字部６等で構成されている。
【００２８】
以下に、本実施例の通帳伝票プリンタ１による媒体処理の処理動作について説明する。
以下の説明においては、金融機関の応対窓口のオペレータが顧客から受取った通帳および伝票を基に取引（例えば、出金伝票による出金取引）を行い、その取引内容を通帳に記帳し、これと同時に伝票に所定の事項を印字する場合を例に説明する。
【００２９】
本実施例の通帳伝票プリンタ１の初期状態は、移送部９は媒体取込位置で停止しており、その移送部９の媒体搬送ローラ１２は媒体搬送路１３内で一対の搬送ローラを突合せた状態、幅寄せローラ１５は媒体搬送路１３から退避した状態になっている。
【００３０】
オペレータが顧客の通帳の記帳ページを開いて、媒体挿入排出口２から綴じ目の直交方向に沿った方向に通帳を印字面を垂直にして挿入すると、通帳伝票プリンタ１の図示しない制御部は、挿入センサ１７で媒体の挿入を検出し、移送部９の媒体搬送ローラ１２をＲ方向（図３参照）への搬送方向に回転させ、当該媒体を挟持して挿入方向に搬送し、移送部９内への取込を開始する。
【００３１】
挿入された媒体の取込を開始した制御部は、媒体セットセンサ１８が媒体の挿入方向（Ｒ方向）の先端を検出するまで媒体搬送ローラ１２を回転させ、媒体セットセンサ１８が通帳の先端を検出したときに媒体搬送ローラ１２を全て停止させ、幅寄せローラ１５で通帳を挟持した後に、媒体搬送ローラ１２を媒体搬送路１３から退避させ、幅寄せローラ１５により媒体を媒体基準面１６の方向に搬送してその挿入直交方向の一端を媒体基準面１６に突当て、位置決めされた媒体を媒体搬送ローラ１２で再び挟持した後に幅寄せローラ１５を媒体搬送路１３から退避させる。これにより媒体基準面１６に位置決めされた媒体が媒体搬送ローラ１２に挟持された状態で移送部９内に取込まれる。
【００３２】
また、前記した媒体搬送ローラ１２による媒体の搬送中に、制御部は、挿入センサ１７が媒体の挿入方向の先端を検出したときからの経過時間を計測しながら挿入センサ１７が媒体の後端を検出するのを待って待機し、挿入センサ１７が媒体の後端を検出したときに、その経過時間を基に媒体の長さを検出し、その長さによって媒体が通帳であるか伝票であるかを判定し、通帳と判定した場合は、通帳を取込んだ移送部９を、媒体搬送路１３を通帳搬送路２３に対向させた媒体取込位置に停止させたままにする。また、伝票と判定した場合は、伝票を取込んだ移送部９を、移送機構１１によって伝票搬送路３３の方向（Ｌ方向）へ移動させる。（本段階では、挿入された媒体を通帳と判定し、移送部９を媒体取込位置に停止させたままにする。）。
【００３３】
そして、制御部は、媒体取込位置に停止している移送部９の媒体搬送ローラ１２によって位置決めされた通帳を通帳搬送路２３の方向（Ｒ方向）へ搬送し、これを移送部９から通帳搬送路２３の通帳搬送ローラ２１に引渡し、ページセンサ２６での読取り位置へ搬送してページマークを読取ると共にこの搬送の過程で磁気ヘッド２５によって通帳の磁気ストライプから記帳中のページ等の通帳情報を読取る。
【００３４】
通帳のページマークおよび通帳情報を読取った制御部は、当該通帳を通帳搬送ローラ２１で通帳印字位置へ搬送し、通帳印字ヘッド３ａで通帳への印字処理を行う。この場合に、改ページが必要であれば、通帳搬送ローラ２１によりページ捲り部５へ搬送してページの捲り処理を行った後に印字処理を行う。
【００３５】
この通帳への印字処理の過程で挿入センサ１７が媒体挿入排出口２から挿入された新たな媒体（本実施例では伝票）の挿入方向（Ｒ方向）の先端を検出した場合、制御部は、その挿入を受入れ、上記した通帳の場合と同様にして、媒体搬送ローラ１２により当該伝票を移送部９内に搬送して位置決めを行い、経過時間を基に検出した媒体の長さによって当該媒体が伝票であると判定し、伝票を取込んだ移送部９を、移送機構１１によって、伝票セットセンサ１９が伝票の一端を検出するまで伝票搬送路３３の方向（Ｌ方向）へ移動させ、伝票セットセンサ１９が伝票の一端を検出したときに移送部９を停止させる。これにより移送部９が伝票引渡位置に停止する。
【００３６】
伝票引渡位置に移送部９を停止させた制御部は、その移送部９の媒体搬送ローラ１２によって、位置決めされた伝票を伝票搬送路３３の方向（Ｒ方向）へ搬送し、これを移送部９から伝票搬送路３３の伝票搬送ローラ３１に引渡して伝票印字位置へ搬送し、伝票印字ヘッド６ａで伝票への印字処理を行う。
【００３７】
そして、制御部は、通帳への印字処理が終了し、かつ伝票が伝票印字位置へ搬送されたことを認識したときに、移送機構１１によって、移送部９を通帳搬送路２３の方向（Ｕ方向）へ移動させて媒体取込位置に停止させ、印字処理を終えた通帳を通帳搬送ローラ２１で移送部９の方向（Ｆ方向）へ搬送すると共にこの搬送の過程で磁気ヘッド２５により通帳の磁気ストライプの通帳情報に現在の記帳ページ等を書込み、その通帳を媒体搬送路１３の媒体搬送ローラ１２に引渡し、媒体搬送ローラ１２により通帳を更に排出方向（Ｆ方向）へ搬送して挿入センサ１７が通帳の排出方向の先端を検出し所定の距離搬送した後に媒体搬送ローラ１２を停止して媒体挿入排出口２から通帳を排出し、挿入センサ１７によってオペレータによる通帳の受取りを確認する。
【００３８】
オペレータによる通帳の受取りを確認した制御部は、移送機構１１によって、移送部９を伝票搬送路３３の方向（Ｌ方向）へ移動させて伝票引渡位置に停止させ、伝票への印字処理が終了したことを認識したときに、印字処理を終えた伝票を伝票搬送ローラ３１で移送部９の方向（Ｆ方向）へ搬送して、媒体搬送路１３の媒体搬送ローラ１２に引渡し、媒体搬送ローラ１２により更に排出方向（Ｆ方向）へ搬送して、伝票セットセンサ１９が伝票の排出方向の先端を検出したときに媒体搬送ローラ１２を停止させる。これにより印字処理を終えた伝票が移送部９内に収容される。
【００３９】
そして、制御部は、移送機構１１によって、印字処理を終えた伝票を収容した移送部９を媒体挿入排出口２の方向（Ｕ方向）へ移動させて媒体取込位置に停止させ、媒体搬送ローラ１２により伝票を排出方向（Ｆ方向）へ搬送して挿入センサ１７が伝票の排出方向の先端を検出し所定の距離搬送した後に媒体搬送ローラ１２を停止して媒体挿入排出口２から伝票を排出し、挿入センサ１７によってオペレータによる伝票の受取りを確認する。
【００４０】
このようにして、本実施例の通帳伝票プリンタ１による通帳および伝票を連続的かつ同時に処理する媒体処理の処理動作が行われる。
なお、通帳のみを処理する場合は、上記で説明した通帳の処理動作のみを実行し、伝票のみを処理する場合は、上記で説明した伝票の処理動作のみを実行するようにする。
【００４１】
ここで、本実施例においては挿入された媒体の媒体長を検出することにより媒体種別（通帳または伝票のいずれか）を判別することとしたが、上位装置からの制御コマンドまたは装置の操作パネル等により媒体種別を指定し、指定結果に従い媒体の処理動作を制御することとしてもよい。
【００４２】
また、上記では通帳の挿入を先に受入れ、通帳の印字処理中に伝票を受入れるとして説明したが、伝票の挿入を先に受入れ、伝票の印字処理中に通帳を受入れるようにしてもよい。この場合は、前記伝票のみを処理するプロセスを先に実行し、伝票の印字処理中に前記通帳のみを処理するプロセスにより通帳を通帳処理部５へ搬送するとよい。
更に、印字処理が終了した通帳または伝票のいずれの媒体を優先して排出するかは、上位装置からの制御コマンドまたは装置の操作パネル等により設定できることとしてもよい。
【００４３】
また、本実施例においては装置の上部に通帳処理部５、下部に伝票処理部７を配置することとしたが、通帳処理部５および伝票処理部７の位置関係を上下逆とする配置としてもよい。
ここで、媒体処理部（通帳処理部５または伝票処理部７）は、処理を優先する媒体処理部を媒体挿入排出口２の近く（本実施例においては装置の上部）に配置することとしてもよい。
【００４４】
上記のように、本実施例の通帳伝票プリンタ１は、移送機構１１によって媒体を挿入直交方向に移送する移送部９の移送方向に沿って、その直交方向である挿入排出方向に媒体を搬送して処理する通帳処理部５と伝票処理部７とを上下方向に並べて配置したので、通帳伝票プリンタ１の水平方向の設置幅を小さくすることができ、図２に示すように、机上の作業スペースを広くすることができると共に、机の下等の狭いスペースであっても通帳伝票プリンタを設置することができ、応対窓口等の通帳伝票プリンタ１を設置する空間のスペースユーティリティを向上させることができる。
【００４５】
また、通帳処理部５と伝票処理部７とが独立に配置されているので、処理後の通帳の排出完了を待たずに、通帳への印字処理中に伝票を受入れることが可能になり、通常、窓口取引において同時に提出される通帳および伝票の同時処理を可能にして、窓口取引における処理時間を短縮することができる。
更に、通帳および伝票の両方を挿入する兼用の媒体挿入排出口２を設けているため、オペレータが媒体挿入排出口２を間違えることがなくなり、媒体に対する処理のやり直しを防止して窓口取引における処理時間を短縮することができる。
【００４６】
なお、本実施例では、通帳伝票プリンタ１の媒体挿入排出口２を装置本体の正面にして設置するとして説明したが、本実施例の通帳伝票プリンタ１は、図６に示すように、装置本体を９０度回転させて、媒体挿入排出口２を装置本体の上面にして設置することも可能である。これにより上方からの媒体の挿入が可能になり、通帳伝票プリンタ１の設置位置の自由度を向上させて、通帳伝票プリンタを設置する空間のスペースユーティリティを更に向上させることができる。
【００４７】
以上説明したように、本実施例では、媒体挿入排出口から挿入された通帳および伝票からなる媒体を、処理後に媒体挿入排出口から排出する通帳伝票プリンタに、媒体挿入排出口から挿入された媒体を取込み、その媒体を挿入方向の直交方向に移送する移送部と、移送部から引渡された通帳を移送部の移送方向の直交方向に搬送する通帳搬送路と、通帳への印字を行う通帳印字部とが設けられた通帳処理部と、通帳処理部に並設され、移送部から引渡された伝票を移送部の移送方向の直交方向に搬送する伝票搬送路と、伝票への印字を行う伝票印字部とが設けられた伝票処理部とを設けたことによって、通帳伝票プリンタの水平方向の設置幅を小さくして、応対窓口等の通帳伝票プリンタを設置する空間のスペースユーティリティを向上させることができると共に、通帳および伝票の同時処理を可能にして、窓口取引における処理時間を短縮することができる。
【実施例２】
【００４８】
以下に、図７を用いて本実施例の通帳伝票プリンタについて説明する。なお、上記実施例１と同様の部分は、同一の符号を付してその説明を省略する。
本実施例の通帳印字部３と伝票印字部６における印字処理は、図７に示すように、通帳搬送路２３と伝票搬送路３３とをそれらの搬送方向の直交方向に移動する一つの兼用の印字ヘッド４０ａとこれに対向して設けられたプラテン４０ｂと図示しないインクリボンカセットとで行われる。
【００４９】
本実施例の通帳伝票プリンタ１による媒体処理の処理動作は、上記実施例１の場合と同様であるのでその説明を省略する。
この場合に、通帳印字位置における通帳への印字処理は、通帳搬送路２３へ移動させた印字ヘッド４０ａにより行われ、伝票印字位置における通帳への印字処理は、伝票搬送路３３へ移動させた印字ヘッド４０ａにより行われる。
【００５０】
以上説明したように、本実施例では、上記実施例１と同様の効果に加えて、通帳印字部と伝票印字部における印字処理を、通帳搬送路と伝票搬送路とをそれらの搬送方向の直交方向に移動する一つの印字ヘッドで行うので、通帳印字部および伝票印字部の簡素化を図ることができる。
【符号の説明】
【００５１】
１    通帳伝票プリンタ
２    媒体挿入排出口
３    通帳印字部
３ａ  通帳印字ヘッド
３ｂ、６ｂ、４０ｂ  プラテン
３ｃ  インクリボンカセット
４    ページ捲り部
５    通帳処理部
６    伝票印字部
６ａ  伝票印字ヘッド
７    伝票処理部
８    インサータ部
９    移送部
１０  入力装置
１１  移送機構
１２  媒体搬送ローラ
１３  媒体搬送路
１３ａ、１３ｂ、２３ａ、２３ｂ、３３ａ、３３ｂ  搬送ガイド
１５  幅寄せローラ
１６  媒体基準面
１７  挿入センサ
１８  媒体セットセンサ
１９  伝票セットセンサ
２１  通帳搬送ローラ
２２  通帳基準面
２３  通帳搬送路
２５  磁気ヘッド
２６  ページセンサ
３１  伝票搬送ローラ
３２  伝票基準面
３３  伝票搬送路
【図１】
0005703953.tif 000002
【図２】
0005703953.tif 000003
【図３】
0005703953.tif 000004
【図４】
0005703953.tif 000005
【図５】
0005703953.tif 000006
【図６】
0005703953.tif 000007
【図７】
0005703953.tif 000008